(57)【要約】      （修正有）【課題】チューナを有しないＨＤＭＩテレビのＦ／Ｗ（firmware）を最新のバージョンで自動的にアップデートし、ユーザーの利便性を格段に高めることができるアップデートシステムを提供する。【解決手段】ＤＶＤレコーダ１は、チューナ２からの受信テレビジョン信号に含まれるＦ／Ｗのバージョン情報を抽出してはハードディスクに記録し、制御端子１０を介してＨＤＭＩテレビ側に機種情報とＦ／Ｗのバージョン情報を要求する指令を送信する。この要求に応じた情報が返信されてきたとき、このＨＤＭＩテレビ側の機種情報に基づいて、そのＦ／Ｗのバージョン情報と前記ハードディスクに記録されたＦ／Ｗのバージョン情報とを比較し、この記録側が新しいバージョンであるときに、当該バージョン情報を前記制御端子１０からＨＤＭＩテレビ側に送出してＦ／Ｗをバージョンアップさせる。【選択図】図１
2008294498.tif 000002
【特許請求の範囲】
【請求項１】
チューナからの受信テレビジョン信号に含まれるＦ／Ｗのバージョン情報を抽出する抽出手段と、
この抽出手段からの前記バージョン情報を情報記録媒体に記録する記録手段と、
前記チューナを有しない外部接続のテレビモニタ側に前記テレビジョン信号を送信する出力端子と、
前記テレビモニタとの間で当該テレビモニタの機種情報およびＦ／Ｗのバージョン情報に関した信号を送受信する制御端子と、
この制御端子を介して前記テレビモニタ側に機種情報とＦ／Ｗのバージョン情報を要求する指令を送った後、この要求に応じた情報が返信されてきたとき、このテレビモニタ側の機種情報に基づいて、そのＦ／Ｗのバージョン情報と前記情報記録媒体に記録されたＦ／Ｗのバージョン情報とを比較し、この記録側が新しいバージョンであるときに、当該バージョン情報を前記制御端子からテレビモニタ側に送出してＦ／Ｗをバージョンアップさせる制御を行う制御手段と、を備えたアップデートシステム。
【請求項２】
前記記録手段が、ＨＤレコーダの情報記録再生部であり、その情報記録媒体であるハードディスクに前記Ｆ／Ｗのバージョン情報を記録することを特徴とする請求項１に記載のアップデートシステム。
【請求項３】
前記テレビモニタが、ＨＤＭＩ規格のテレビジョン受信機であり、前記制御端子を介して前記機種情報およびＦ／Ｗのバージョン情報に関した信号を送受信するＨＤＭＩ送受信部を備えてなることを特徴とする請求項１に記載のアップデートシステム。
【請求項４】
チューナからの受信テレビジョン信号に含まれるＦ／Ｗのバージョン情報を抽出する抽出手段と、
この抽出手段からの前記バージョン情報をハードディスクに記録する情報記録再生部と、
前記チューナを有しない外部接続のＨＤＭＩテレビ側に前記テレビジョン信号を送信する出力端子と、
前記ＨＤＭＩテレビとの間で当該ＨＤＭＩテレビの機種情報およびＦ／Ｗのバージョン情報に関した信号を送受信するＨＤＭＩ送受信部に接続された制御端子と、
この制御端子を介して前記ＨＤＭＩテレビ側に機種情報とＦ／Ｗのバージョン情報を要求する指令を送った後、この要求に応じた情報が返信されてきたとき、このＨＤＭＩテレビ側の機種情報に基づいて、そのＦ／Ｗのバージョン情報と前記ハードディスクに記録されたＦ／Ｗのバージョン情報とを比較し、この記録側が新しいバージョンであるときに、当該バージョン情報を前記制御端子からＨＤＭＩテレビ側に送出してＦ／Ｗをバージョンアップさせる制御を行う制御手段と、を備えたアップデートシステム。
【発明の詳細な説明】
【技術分野】
【０００１】
本発明は、ＤＶＤレコーダやＨＤレコーダにＨＤＭＩ（High Definition Multimedia Interface）規格のテレビを接続して使用するアップデートシステムに係り、特に、チューナを有しないテレビのＦ／Ｗをアップデート可能とするアップデートシステムに関する。
【背景技術】
【０００２】
ＡＶ装置や各種電子機器に接続される外部接続機器を最新のバージョンにアップデートすることにより、ユーザーの利便性を高めることができる。
その一例として、外部機器のプログラムをアップデートするディジタル放送受信機およびプログラムのアップデート方法が提案されている。
このディジタル放送受信機は、アンテナで受信したディジタル放送信号から付加情報を抽出する付加情報デコーダと、外部機器接続端子（IEEE1394）に接続される外部機器に関した外部機器情報を管理する外部機器情報管理部と、付加情報デコーダで抽出された外部機器用のプログラムのバージョンが前記外部機器情報に記載のバージョンよりも新しいときは、前記プログラムのプログラムコードを保存する不揮発性メモリとを備えて構成されている。
そして、各外部機器接続端子を介しディジタル放送受信機に外部機器が最初に接続されたときに、メーカＩＤ／機種ＩＤをメーカＩＤ／機種ＩＤ記録部から取得し、プログラムに格納されているプログラムのバージョン情報をプログラム管理部から取得し、外部機器情報管理部側で管理しておく。
この後、付加情報デコーダでディジタル放送信号から外部機器の新しいバージョンのプログラムコードを取得したときは不揮発性メモリに保存しておき、再度外部機器が接続されたときに、この外部機器へ転送する。
これを受けた外部機器は、新しいバージョンのプログラムコードでプログラムメモリを書き換えることにより、プログラムをアップデートする。
これにより、外部機器のプログラムのアップデートをユーザー側で容易に行うことができるというものである。
【特許文献１】特開２００５−２１０１８３号公報
【発明の開示】
【発明が解決しようとする課題】
【０００３】
ところで、上記特許文献１の発明は、新しいバージョンのプログラムコードでプログラムをアップデートすることはできるが、チューナを有しないＨＤＭＩテレビのＦ／Ｗを最新のバージョンで自動的にアップデートするといったことはできなかった。
すなわち、ＤＶＤレコーダやＨＤレコーダのようなディスク装置に外部接続されるテレビジョン受信機は、通常、チューナを備えているが、近時、チューナを有しないＨＤＭＩテレビのようなテレビモニタも普及している。
この種のテレビモニタは、ハードウエアの基本的な制御を行うためにＦ／Ｗ（firmware）を組み込んでいる。
このＦ／Ｗは、適宜バージョンアップする必要があるが、ＷＥＢに接続される機器であれば、メーカーにアクセスして最新のバージョンを受け取ることができる。
また、チューナを備えた機種であれば放送電波を受信し、テレビジョン信号に含まれるＦ／Ｗのバージョン情報を抽出して最新のバージョンにアップデートすることも可能である。
しかし、特許文献１の発明のように、ディジタル放送信号から新しいバージョンを取得できない、チューナの無いテレビモニタ等は、最新バージョンへのアップデートは全く不可能である。
そこで、ユーザーは、テレビモニタをメーカーや販売店のサービスカウンタに持ち込んで、アップデートを依頼する必要が生じることにになり、甚だ不便なものであった。
本発明は、上記課題に鑑みてなされたもので、チューナを有しないＨＤＭＩテレビのＦ／Ｗを最新のバージョンで自動的にアップデートし、ユーザーの利便性を格段に高めることができるアップデートシステムを提供することを目的としている。                 
【課題を解決するための手段】
【０００４】
上記目的を達成するため、本発明のアップデートシステムは、チューナからの受信テレビジョン信号に含まれるＦ／Ｗのバージョン情報を抽出する抽出手段と、この抽出手段からの前記バージョン情報を情報記録媒体に記録する記録手段と、前記チューナを有しない外部接続のテレビモニタ側に前記テレビジョン信号を送信する出力端子と、前記テレビモニタとの間で当該テレビモニタの機種情報およびＦ／Ｗのバージョン情報に関した信号を送受信する制御端子と、この制御端子を介して前記テレビモニタ側に機種情報とＦ／Ｗのバージョン情報を要求する指令を送った後、この要求に応じた情報が返信されてきたとき、このテレビモニタ側の機種情報に基づいて、そのＦ／Ｗのバージョン情報と前記情報記録媒体に記録されたＦ／Ｗのバージョン情報とを比較し、この記録側が新しいバージョンであるときに、当該バージョン情報を前記制御端子からテレビモニタ側に送出してＦ／Ｗをバージョンアップさせる制御を行う制御手段と、を備えたことを特徴としている。
また、前記記録手段が、ＨＤレコーダの情報記録再生部であり、その情報記録媒体であるハードディスクに前記Ｆ／Ｗのバージョン情報を記録することを特徴としている。
また、前記テレビモニタが、ＨＤＭＩ規格のテレビジョン受信機であり、前記制御端子を介して前記機種情報およびＦ／Ｗのバージョン情報に関した信号を送受信するＨＤＭＩ送受信部を備えてなることを特徴としている。
さらに、本発明のアップデートシステムは、チューナからの受信テレビジョン信号に含まれるＦ／Ｗのバージョン情報を抽出する抽出手段と、この抽出手段からの前記バージョン情報をハードディスクに記録する情報記録再生部と、前記チューナを有しない外部接続のＨＤＭＩテレビ側に前記テレビジョン信号を送信する出力端子と、前記ＨＤＭＩテレビとの間で当該ＨＤＭＩテレビの機種情報およびＦ／Ｗのバージョン情報に関した信号を送受信するＨＤＭＩ送受信部に接続された制御端子と、この制御端子を介して前記ＨＤＭＩテレビ側に機種情報とＦ／Ｗのバージョン情報を要求する指令を送った後、この要求に応じた情報が返信されてきたとき、このＨＤＭＩテレビ側の機種情報に基づいて、そのＦ／Ｗのバージョン情報と前記ハードディスクに記録されたＦ／Ｗのバージョン情報とを比較し、この記録側が新しいバージョンであるときに、当該バージョン情報を前記制御端子からＨＤＭＩテレビ側に送出してＦ／Ｗをバージョンアップさせる制御を行う制御手段と、を備えたことを特徴としている。
【発明の効果】
【０００５】
以上説明したように、本発明によるアップデートシステムは、チューナを有しないテレビモニタのＦ／Ｗを最新のバージョンで自動的にアップデートできるので、従来のように、テレビモニタのＦ／Ｗをバージョンアップする際、メーカーや販売店に持参する必要がなくなり、ユーザーの利便性が格段に高められる効果がある。
また、前記記録手段が、ＨＤレコーダの情報記録再生部であり、その情報記録媒体であるハードディスクに前記Ｆ／Ｗのバージョン情報を記録することから、このＤＶＤレコーダに外部接続されるチューナを有しないテレビモニタを最新のバージョンで自動的にアップデートできる利点がある。
また、前記テレビモニタが、ＨＤＭＩ規格のテレビジョン受信機であり、前記制御端子を介して前記機種情報およびＦ／Ｗのバージョン情報に関した信号を送受信するＨＤＭＩ送受信部を備えているので、外部接続されるチューナを有しないＨＤＭＩテレビを最新のバージョンで自動的にアップデートできる利点がある。
さらに、チューナを有しないＨＤＭＩテレビのＦ／Ｗを最新のバージョンで自動的にアップデートできるので、従来のように、ＨＤＭＩテレビのＦ／Ｗをバージョンアップする際、メーカーや販売店に持参する必要がなくなり、ユーザーの利便性が格段に高められる効果がある。
【発明を実施するための最良の形態】
【０００６】
以下、本発明に係るアップデートシステムの実施形態について、図面を参照しながら詳述する。
図１は、本発明の一実施形態であるアップデートシステムの概要構成を示すＤＶＤレコーダの電気的ブロック線図である。
本実施形態のアップデートシステムは、放送電波の受信信号をＨＤＤに更新記録し、ＤＶＤに映像・音声データをダビング可能なＤＶＤレコーダ１に適用されたもので、チューナを有しないＨＤＭＩテレビ２０が接続されるようになっている。
このＤＶＤレコーダ１は、図示省略しているが、装置本体を構成するフロントパネルに操作部、表示部およびディスクトレイ部等を設け、リアパネルに端子部を配設している。
そして、装着本体内には、記録・再生機能に関した各種の機構部や回路各部を収納保持している。
【０００７】
図１において、２はチューナであり、アンテナで受信されたテレビジョン放送の信号が導入されている。このチューナ２には、制御部１８の指令信号が導かれ、Ａ／Ｄ変換回路（Ａ／Ｄ）３や信号抽出部８等が接続されている。
【０００８】
そして、操作部またはリモコン１６の入力操作に基づく制御部１８の指令により、選局されたチャンネルの受信信号をＡ／Ｄ変換回路３に送出する。
【０００９】
また、このチューナ２は、制御部１８の指令に従って、放送電波の受信信号からアナログの映像信号を信号抽出部８に送出する。
Ａ／Ｄ変換回路３は、アナログのテレビジョン信号をディジタル信号に変換し、コーデック４側に送出する。
【００１０】
このコーデック４は、エンコーダ部およびマルチプレクサ／デマルチプレクサを備えて構成されている。
【００１１】
そして、エンコーダ部に前記ディジタル信号が入力すると、ディジタル映像信号およびディジタル音声信号をそれぞれ圧縮してマルチプレクサ／デマルチプレクサに与える。
このマルチプレクサ／デマルチプレクサは、入力した映像信号のストリームと音声信号のストリームとをマルチプレクスし、ＭＰＥＧ２のシステムストリームに変換する。
【００１２】
また、図示しないバッファメモリから受け取ったＭＰＥＧ２のシステムストリームを、映像信号のストリームと音声信号のストリームとにデマルチプレクスしてデコーダ５に送出する。
このデコーダ部（デコーダ）５は、ビデオデコーダとオーディオデコーダとからなり、Ｄ／Ａ変換部（Ｄ／Ａ）６を介して出力端子部７に接続されている。
ビデオデコーダは、入力した映像信号のストリームをデコードし、Ｄ／Ａ変換部６に送出する一方、オーディオデコーダは、音声信号のストリームをデコードしてＤ／Ａ変換部６にそれぞれ送出する。
【００１３】
このＤ／Ａ変換部６は、ビデオ用とオーディオ用とからなり、入力信号をそれぞれアナログ信号に変換し、映像信号と音声信号とからなるアナログのテレビジョン信号を出力端子部７に伝送する。
この出力端子部７には、外部接続機器として、ＨＤＭＩテレビ２０が接続されており、前記テレビジョン信号が供給されるようになっている。
【００１４】
前記信号抽出部８は、ＨＤ記録再生系１１および制御部１８に接続されている。
【００１５】
この信号抽出部８は、アナログの映像信号が入力すると、垂直帰線からＦ／Ｗのバージョンアップデータを抽出して制御部１８およびＨＤ記録再生系１１に送出する構成になっている。
このＨＤ記録再生系１１は、デコーダ部５、ＨＤＭＩ送受信部９、ＨＤＤ（ハードディスクドライバ）１２と接続されており、制御部１８の制御信号が導かれている。
このＨＤ記録再生系１１は、記録指令に応じて、ＨＤＤ（ハードディスクドライバ）１２により、受信放送のテレビジョン信号をＨＤ（ハードディスク）に更新記録させる。
また、再生指令に応じて、ＨＤの記録情報をデコーダ部５に伝送し、ＨＤＭＩテレビ２０側に送出する。
さらに、ダビング指令に従って、ＨＤの記録情報を再生しつつＤＶＤ記録再生系１３を介してドライバ１４に供給し、ＤＶＤに記録させる。
なお、このＨＤ記録再生系１１は、アップデータ記録指令に応じて、信号抽出部８からのバージョンアップデータをＨＤに記録させる。
一方、アップデータ再生指令に従って、ＨＤの記録データをＨＤＭＩ送受信部９に伝送する。
このＨＤＭＩ送受信部９は、ＨＤ記録再生系１１および制御部１８に接続されるとともに、入出力端子部１０、ＨＤＭＩケーブルを介してＨＤＭＩテレビ２０と接続されている。
このＨＤＭＩ送受信部１３は、制御部１８の制御を受けて各種信号やデータの送受を実行する。
前記ＨＤ記録再生系１１からバージョンアップデータが伝送されてくると、入出力端子部１０を介してＨＤＭＩテレビ２０側に送出する。
また、図示省略した情報変換部から画像情報を受け取ると、ＨＤＭＩ規格のディジタル信号に変換した後、ＨＤＭＩテレビ２０に送信する。
なお、このＨＤＭＩ送受信部９は、ＨＰＤ（Hot Plug Detector）を有しており、ＨＤＭＩケーブルによってＤＶＤレコーダ１とＨＤＭＩテレビ２０との接続の有無を検出し、その検出信号を制御部１８側に伝送する。
【００１６】
また、回線としてＤＤＣ（Display Data Channel）を備えており、前記画像情報の表示条件や音声情報の音声条件以外に、ＨＤＭＩテレビ２０に関する他の情報を併せて制御部１８側に送信する。
１５は表示部であり、制御部１８の表示指令に従って、放送番組の記録・再生に関する基本情報を表示する。また、Ｆ／Ｗのバージョンアップデータを受信したことを示すサイン等を表示する。
なお、このＤＶＤレコーダ１は、図示省略したＯＳＤ（On Screen Display）を備えており、リモコン１６の指令に応じてテレビ側に表示信号を送出し、その画面にメニューを表示させることにより、各種入力の設定が可能となっている。
１６はリモコンであり、普及型の機種と各種機能キーを備えている。このリモコン１６は、何れかのキーが押圧操作されると、この操作内容に応じた指令信号が赤外線信号で送信され、受信部１７を介して制御部１８側に送られる。
なお、メニューキーにより、予めポップアップメニューの表示設定をしておくと、ＤＶＤレコーダ１の電源オン時にＦ／Ｗのバージョンアップデータを受信したことを示すポップアップメニューの情報をＨＤＭＩテレビ２０側に送出し、画面に表示可能となっている。
制御部２０は、前記回路各部とその機能に応じて一方向または双方向性に接続されている。
【００１７】
この制御部２０は、リモコン１６または操作部の指令に応じて映像・音声信号の記録／再生に関する動作を制御する。また、Ｆ／Ｗのバージョンアップに関する動作制御を行う。
図２は、ＨＤＭＩテレビの概要構成を示す電気的ブロック線図である。
【００１８】
図２において、２０はＨＤＭＩテレビであり、リヤパネルに入出力端子部２１，２５を設けている、
入力端子部２１には、Ａ／Ｄ変換部（Ａ／Ｄ）２２を介して信号処理部２３とテレビ制御部２８とが接続されている。
Ａ／Ｄ変換部２２は、ビデオ用とオーディオ用とからなり、入力信号をそれぞれディジタル信号に変換し、信号処理部２３側に送出する
この信号処理部２２は、テレビ制御部２８の指令に従って入力信号を処理し、映像・音声の表示に関するデータとともに出力部２４へ送出する。 
この出力部２３は、ビデオ出力部とオーディオ出力部とからなり、ビデオ出力部は、ディジタル映像信号をアナログビデオ信号に変換してモニタ側に出力する。
一方、オーディオ出力部は、ディジタルオーディオ信号をアナログオーディオ信号に変換して音声処理部に出力するようになっている。
入出力端子部２５は、ＨＤＭＩ送受信部２６を介してテレビ制御部２８に接続されている。
ＨＤＭＩ送受信部２６は、前記ＨＤＭＩ送受信部９に等しい機能に加え、メモリ２７を備えている。
このメモリ２７は、ＥＤＩＤ（Extended Display Identification Data）メモリであり、ＨＤＭＩテレビ２５側から外部接続機器（本例では、ＤＶＤレコーダ１）に対し、当該テレビに関する情報を認識させるためのデータを記憶している。
この情報としては、ＨＤＭＩテレビ２５の機種やＦ／Ｗのバージョンに関したデータ、言語情報（メニューや字幕等の言語）および表示制御情報（解像度や画素数）等を含んでいる。
テレビ制御部２８は、映像・音声の表示に関する制御を行うとともに、ＤＶＤレコーダ１からの情報要求指令に応じた応答信号を送出する。本例では、当該テレビの機種情報およびＦ／Ｗのバージョンデータを出力するようになっている。
【００１９】
次に、上記ＤＶＤレコーダの動作について、図３のフローチャートを参照しつつ説明する。
【００２０】
ここでは、ユーザーが、ＤＶＤレコーダ１にＨＤＭＩテレビを接続して使用する場合について説明する。
このときは、ＨＤＭＩテレビ側のＦ／Ｗのバージョンをアップデートする際に、予めアップデータの受信状況を表示する形態を設定しておく。
すなわち、第１の表示形態は、Ｆ／Ｗのアップデータを受信したとき、ＤＶＤレコーダ１側の表示部１５にＦ／Ｗのアップデータ受信有を表示させる。
また、第２の表示形態は、ＯＳＤ回路からＨＤＭＩテレビ２０側にポップアップメニューのデータを送出し、テレビ画面上にポップアップでＦ／Ｗのアップデータ受信有を表示させるものである。
ＤＶＤレコーダ１の使用開始に伴い、制御部２０がＦ／Ｗのアップデートモードに入ると、ＨＤＭＩテレビ２０側に基本情報を要求するリクエストコマンドを送信する（ステップＳ１１）。
続いて、ＨＤＭＩテレビ２０側から応答が有るか否かを判別し（ステップＳ１２）、応答がなければアップデートモードの処理を中止する（ステップＳ１３）。
一方、応答が有るときは、テレビ制御部２８がリクエストコマンドに従った動作を開始し、メモリ２７の基本情報を読み出してＨＤＭＩ送受信部２６より入力端子部２１を介してＤＶＤレコーダ１側に送出する。
よって、ＨＤＭＩテレビ２０側からＤＶＤレコーダ１に機種情報およびＦ／Ｗのバージョンが制御部２０に入力する（ステップＳ１４）。
この制御部２０は、機種情報とＦ／Ｗのバージョンデータとを内蔵のワークメモリに記憶しておく。
次いで、制御部２０は、チューナ２に指令信号を送出し、アンテナで受信した放送電波の信号を導入させることにより、アナログの映像信号を信号抽出部８側へ出力させる（ステップＳ１５）。
この信号抽出部８は、アナログの映像信号が入力すると、垂直帰線からＦ／Ｗのバージョンアップデータを抽出して制御部２０に送出する。
すると、この制御部２０は、ワークメモリのバージョンデータと受信したＦ／Ｗのバージョンデータとを比較し、何れが新しいかを判別する（ステップＳ１６）
ここで、受信したＦ／Ｗのバージョンがテレビ側のバージョンよりも新しくなければ、チューナ２に指令信号を送出せず、Ｆ／Ｗに関したアナログの映像信号を放送電波から受信しない（ステップＳ１７）。
一方、受信したＦ／Ｗのバージョンが新しい場合、そのアップデート情報をＨＤＤ１２上に記録させる（ステップＳ１８）。
この後、制御部２０は、予め設定された内容に応じてアップデータの受信状況を表示させる制御を行う（ステップＳ１９）。
第１の表示形態が設定されているときは、ＤＶＤレコーダ１側の表示部１５にＦ／Ｗのアップデータ受信有を表示させる。
一方、第２の表示形態が設定されているときは、ＯＳＤ回路からＨＤＭＩテレビ２０側にポップアップメニューのデータを送出する。これにより、テレビ画面上にポップアップメニューが表示されることになる。
このように、Ｆ／Ｗのアップデータを受信したことを表示させた後、制御部２０は、ＨＤＭＩテレビ２０のパワーがオンにされたか否かを判別する（ステップＳ２０）。
ここで、パワーがオンにされたとき、制御部２０はＦ／ＷのアップデートコマンドをＨＤＭＩテレビ２０に送信させる（ステップＳ２１）。
続いて、ＨＤ上に記録されているＦ／Ｗのアップデータを再生させ、ＨＤＭＩテレビ２０側に転送するとともに、テレビ制御部２８を動作させてメモリ２７に記憶させる（ステップＳ２２）。
また、制御部２０は、テレビ制御部２８にコマンドを送出し、最新Ｆ／Ｗのアップデートを開始させる（ステップＳ２３）。
これにより、一連のアップデート動作を終了する。
このように、チューナを有しないＨＤＭＩテレビ２０のＦ／Ｗを最新のバージョンで自動的にアップデートできるので、従来のように、ＨＤＭＩテレビ２０のＦ／Ｗをバージョンアップする際、メーカーや販売店に持参する必要がなくなる。
なお、本発装置明は上記の各実施形態に限定されず、本発明の趣旨を逸脱しない範囲で、種々の変更が可能である。
【図面の簡単な説明】
【００２１】
【図１】本発明の一実施形態であるアップデートシステムの概要構成を示す電気的ブロック線図である。
【図２】ＨＤＭＩテレビの概要構成を示す電気的ブロック線図である。
【図３】アップデートシステムの動作を説明するためのフローチャートである。
【符号の説明】
【００２２】
２        チューナ
７        出力端子
９        ＨＤＭＩ送受信部
１０      制御端子
１１      情報記録再生部
１８      制御手段
【図１】
2008294498.tif 000003
【図２】
2008294498.tif 000004
【図３】
2008294498.tif 000005